(57)【要約】【課題】を提供すること。【解決手段】竪樋本体１１の外面から突出する結合部１２を備えた竪樋１と、建物外壁Ｗに固定されて竪樋を支持する竪樋支持具２とを含む竪樋支持構造であって、結合部が第１爪部３で保持されると、突出片２３の先端２３aが竪樋と非接触の状態で、竪樋が竪樋支持具に仮止めされ、結合部が第２爪部で保持されると、突出片の先端が竪樋本体または結合部に当接し、竪樋が竪樋支持具に固定される。【選択図】図１
2018119341.tif 000002
【特許請求の範囲】
【請求項１】
竪樋本体の外面から突出する結合部を備えた竪樋と、建物外壁に固定されて前記竪樋を支持する竪樋支持具とを含む竪樋支持構造であって、
前記竪樋支持具は、
建物外壁に固定される固定部と、
前記固定部の水平方向の両端付近から建物外方に向かって略平行に延び、互いに離間して水平方向に対向する一対の挟持片と、
固定部の中央付近から建物外方に向かって突出し、対向する前記挟持片の間に位置する突出片と、
を備え、
前記挟持片は、
先端付近に設けられ、かつ、対向する他方の挟持片側へ向かって突出する第１爪部と、
前記第１爪部よりも前記固定部側に設けられ、かつ、対向する他方の突出片側へ向かって突出する第２爪部と、
を備え、
一対の前記挟持片の前記第１爪部または前記第２爪部によって前記結合部を保持可能であり、
前記結合部が前記第１爪部で保持されると、前記突出片の先端が前記竪樋と非接触の状態で、前記竪樋が前記竪樋支持具に仮止めされ、
前記結合部が前記第２爪部で保持されると、前記突出片の先端が前記竪樋に当接し、前記竪樋が前記竪樋支持具に固定されることを特徴とする竪樋支持構造。
【発明の詳細な説明】
【技術分野】
【０００１】
本発明は、竪樋支持構造に関する。
【背景技術】
【０００２】
従来より、竪樋と、建物外壁に固定されて竪樋を支持する竪樋支持具とを備えた竪樋支持構造が知られている。
【０００３】
例えば、特許文献１の竪樋支持構造では、竪樋に設けられた結合部（突条係止リブの係止部）と竪樋支持具（樋係着部材）の両端の係止片とを係合させることで、竪樋を竪樋支持具に取り付けている。また、この竪樋支持構造では、竪樋支持具（樋係着部材）の中央に設けられた係合片が竪樋の突条係止リブの間に挿入されて係合溝部と対峙している。
【先行技術文献】
【特許文献】
【０００４】
【特許文献１】特開2000−248699号公報
【発明の概要】
【発明が解決しようとする課題】
【０００５】
しかしながら、特許文献１の竪樋支持構造の場合、竪樋支持具の両端の係止片と中央に設けられた係合片とによって竪樋の結合部を強く保持する構造であるため、一旦、竪樋を竪樋支持具に取り付けると、竪樋の位置調整を行うのが難しいという問題がある。
【０００６】
本発明は、以上のとおりの事情に鑑みてなされたものであり、竪樋を竪樋支持具に仮止めすることができ、竪樋を竪樋支持具に取り付けた後も竪樋の位置調整が可能な竪樋支持構造を提供することを課題としている。
【課題を解決するための手段】
【０００７】
上記の課題を解決するために、本発明は、竪樋本体の外面から突出する結合部を備えた竪樋と、建物外壁に固定されて前記竪樋を支持する竪樋支持具とを含む竪樋支持構造であって、
前記竪樋支持具は、
建物外壁に固定される固定部と、
前記固定部の水平方向の両端付近から建物外方に向かって略平行に延び、互いに離間して水平方向に対向する一対の挟持片と、
固定部の中央付近から建物外方に向かって突出し、対向する前記挟持片の間に位置する突出片と、
を備え、
前記挟持片は、
先端付近に設けられ、かつ、対向する他方の挟持片側へ向かって突出する第１爪部と、
前記第１爪部よりも前記固定部側に設けられ、かつ、対向する他方の突出片側へ向かって突出する第２爪部と、
を備え、
一対の前記挟持片の前記第１爪部または前記第２爪部によって前記結合部を保持可能であり、
前記結合部が前記第１爪部で保持されると、前記突出片の先端が前記竪樋と非接触の状態で、前記竪樋が前記竪樋支持具に仮止めされ、
前記結合部が前記第２爪部で保持されると、前記突出片の先端が前記竪樋に当接し、前記竪樋が前記竪樋支持具に固定されることを特徴としている。
【発明の効果】
【０００８】
本発明の竪樋支持構造によれば、竪樋を竪樋支持具に仮止めすることができ、竪樋を竪樋支持具に取り付けた後も竪樋の位置調整を行うことができる。
【図面の簡単な説明】
【０００９】
【図１】本発明の竪樋支持構造の一実施形態において、竪樋を竪樋支持具に仮止めした状態を例示した水平方向の断面図である。
【図２】図１に示した実施形態において、竪樋を竪樋支持具に固定した状態を例示した水平方向の断面図である。
【図３】本発明の竪樋支持構造における竪樋の一実施形態を例示した斜視図である。
【図４】本発明の竪樋支持構造における竪樋支持具の一実施形態を例示した斜視図である。
【図５】本発明の竪樋支持構造の別の実施形態において、竪樋を竪樋支持具に仮止めした状態を例示した水平方向の断面図である。
【図６】図５に示した実施形態において、竪樋を竪樋支持具に固定した状態を例示した水平方向の断面図である。
【発明を実施するための形態】
【００１０】
図１は、本発明の竪樋支持構造の一実施形態において、竪樋を竪樋支持具に仮止めした状態を例示した水平方向の断面図である。図２は、図１に示した実施形態において、竪樋を竪樋支持具に固定した状態を例示した水平方向の断面図である。図３は、本発明の竪樋支持構造における竪樋の一実施形態を例示した斜視図である。図４は、本発明の竪樋支持構造における竪樋支持具の一実施形態を例示した斜視図である。
【００１１】
この実施形態の竪樋支持構造は、竪樋本体１１の外面から突出する結合部１２を備えた竪樋１と、建物外壁Ｗに固定されて竪樋１を支持する竪樋支持具２とを含む。
【００１２】
竪樋支持具２は、建物外壁Ｗに固定される固定部２１と、固定部２１の水平方向の両端付近から建物外方に向かって略平行に延び、互いに離間して水平方向に対向する一対の挟持片２２とを備えている。また、竪樋支持具２は、固定部２１の中央付近から建物外方に向かって突出し、対向する挟持片２２の間に位置する突出片２３を備えている。
【００１３】
挟持片２２は、先端付近に設けられ、かつ、対向する他方の挟持片２２側へ向かって突出する第１爪部３と、第１爪部３よりも固定部２１側に設けられ、かつ、対向する他方の突出片２３側へ向かって突出する第２爪部４とを備えている。
【００１４】
一対の挟持片２２の第１爪部３または第２爪部４によって結合部１２を保持可能である。結合部１２が第１爪部３で保持されると、突出片２３の先端が竪樋１と非接触の状態で竪樋１が竪樋支持具２に仮止めされる。結合部１２が第２爪部４で保持されると、突出片２３の先端が竪樋１に当接し、竪樋１が竪樋支持具２に固定される。
【００１５】
以下、図１〜図４に基づいて、本発明の竪樋支持構造の実施形態について説明する。
【００１６】
図３に例示したように、この実施形態の竪樋支持構造では、竪樋１は、竪樋本体１１と結合部１２とを備えている。
【００１７】
竪樋本体１１は、縦長の略円筒状に形成されている。
【００１８】
結合部１２は、竪樋本体１１の外面から突出する２つのリブ１２aが互いに対向している。リブ１２aは竪樋本体１１の長手方向に沿って延びており、互いに平行である。リブ１２aの先端には、対向する他方のリブ１２aとは反対方向に向かって突出する係合爪１２bが設けられている。
【００１９】
図４に例示したように、竪樋支持具２は、固定部２１と、挟持片２２と、突出片２３とを備えている。
【００２０】
固定部２１は、ネジなどの固定具（図示していない）などを介して建物外壁Ｗに固定される。
【００２１】
固定部２１は、垂直方向に起立する起立面部２１aと、起立面部２１aから建物外壁側に向かって水平方向に突出する円筒状の支持部２１bとを備えている。支持部２１bは建物壁面に当接する。
【００２２】
固定部２１には、起立面部２１aの中央から支持部２１bに向かって連通する開口部２１cが形成されている。開口部２１cに、ネジなどの固定具を挿入して建物壁面に打ち込むことで、固定部２１を建物外壁に固定することができる。
【００２３】
挟持片２２は、固定部２１の起立面部２１aの水平方向の両端から建物外方に向かって略平行に延びている。一対の挟持片２２は、互いに離間して水平方向に対向している。
【００２４】
挟持片２２には、先端付近に、対向する他方の挟持片２２側へ向かって突出する第１爪部３が設けられている。第１爪部３は、挟持片２２の先端から固定部２１側に向かって湾曲する湾曲面３１と、建物外壁と略平行な平坦面３２とを備えている。
【００２５】
また、挟持片２２には、第１爪部３よりも固定部２１側に、対向する他方の突出片２３側へ向かって突出する第２爪部４が設けられている。第２爪部４は、挟持片２２の先端側から固定部２１側に向かって湾曲する湾曲面４１と、建物外壁と略平行な平坦面４２とを備えている。
【００２６】
第１爪部３と第２爪部４は離間しており、第１爪部３と第２爪部４の間に溝部５が形成されている。
【００２７】
突出片２３は、固定部２１の起立面部２１aの水平方向の中央付近から建物外方に向かって突出する平板状であり、対向する挟持片２２同士の間に配置されている。突出片２３は、起立面部２１aの上端と下端に設けられており、２つの突出片２３は、互いに垂直方向に対向している。また、突出片２３と起立面部２１aとの間には補強部２４が設けられている。
【００２８】
図１、図２に例示したように、竪樋支持具２は、挟持片２２の第１爪部３または第２爪部４によって竪樋１の結合部１２を保持することができる。
【００２９】
図１に例示したように、竪樋支持具２の対抗する挟持片２２の間から固定部２１側に竪樋１の結合部１２を挿入すると、第１爪部３の湾曲面３１に当接して挟持片２２が外側に弾性変形し、係合爪１２bが第１爪部３の平坦部３２側に廻り込んで溝部５に挿入される。これによって、係合爪１２bを第１爪部３の平坦部３２に引っ掛けることができる。竪樋支持具２の第１爪部３によって竪樋１の結合部１２（係合爪１２b）が保持されている状態では、突出片２３の先端２３aとリブ１２a同士の間の竪樋本体１１との間には隙間があり、非接触の状態になっている。このため、竪樋１は、竪樋支持具２の第１爪部３によって仮止めされており、竪樋１を上下に動かすことができるため、位置調整を容易に行うことができる。なお、竪樋１の「仮止め」とは、竪樋支持具２によって保持されているが、竪樋１を上下に動かすことができる状態をいう。
【００３０】
図２に例示したように、竪樋支持具２の第１爪部３によって竪樋１の結合部１２が保持されている仮止めの状態から、さらに固定部２１側へ竪樋１を押し込むことができる。これによって、竪樋１の係合爪１２bが第２爪部４の湾曲面４１に当接して挟持片２２が外側に弾性変形し、係合爪１２bが第２爪部４の平坦部４２側に廻りこむ。これによって、係合爪１２bを第２爪部４の平坦部４２に引っ掛けることができる。竪樋支持具２の第２爪部４によって竪樋１の結合部１２が保持されている状態では、突出片２３の先端２３aとリブ１２a同士の間の竪樋本体１１とが当接している。このため、竪樋１は、竪樋支持具２の第２爪部４および突出片２３によって保持されて竪樋支持具２に安定に固定される。
【００３１】
図５は、本発明の竪樋支持構造の別の実施形態において、竪樋を竪樋支持具に仮止めした状態を例示した水平方向の断面図である。図６は、図５に示した実施形態において、竪樋を竪樋支持具に固定した状態を例示した水平方向の断面図である。図１〜図４で示した実施形態と共通する部分には、同一の符号を付し、以下では説明を省略する。
【００３２】
この実施形態の竪樋支持構造では、竪樋１の結合部１２は、竪樋本体１１から突出する突起部１２cと、突起部１２cの突出方向と直交し、垂直方向に長尺な板状部１２dを備えている。
【００３３】
図５に例示したように、この実施形態の竪樋支持構造では、竪樋支持具２の板状部１２dの短手方向の両端が第１爪部３によって保持されている状態では、突出片２３の先端と板状部１２dとの間には隙間があり、非接触の状態になっている。このため、竪樋１は、竪樋支持具２の第１爪部３のみによって仮止めされており、竪樋１を上下に動かすことができるため、位置調整を容易に行うことができる。
【００３４】
また、図６に例示したように、竪樋支持具２の第１爪部３によって竪樋１の板状部１２dが保持されている仮止めの状態から、さらに固定部２１側へ竪樋１を押し込むことで、板状部１２dの短手方向の両端が第２爪部４の平坦部４２側に廻りこむ。これによって、板状部１２dの両端を第２爪部４の平坦部４２に引っ掛けることができる。竪樋支持具２の第２爪部４によって竪樋１の板状部１２dが保持されている状態では、突出片２３の先端と結合部１２（板状部１２d）とが当接している。このため、竪樋１は、竪樋支持具２の第２爪部４および突出片２３によって保持されて竪樋支持具２に安定に固定される。
【００３５】
本発明の竪樋支持構造は、以上の実施形態に限定されるものではない。
【符号の説明】
【００３６】
１    竪樋
１１  竪樋本体
１２  結合部
２    竪樋支持具
２１  固定部
２２  挟持片
２３  突出片
３  第１爪部
４  第２爪部
【図１】
2018119341.tif 000003
【図２】
2018119341.tif 000004
【図３】
2018119341.tif 000005
【図４】
2018119341.tif 000006
【図５】
2018119341.tif 000007
【図６】
2018119341.tif 000008